(57)【要約】【課題】ユーザの広告に対する興味を増大させて、広告効果を高めることができる、広告促進方法及び広告促進システムを提供する。【解決手段】広告促進方法及び広告促進システムで使用されるチラシ１は、右上に、ポイント情報を含む二次元コード２を有している。会員登録したユーザが、携帯電話機などのユーザ端末を用いて二次元コード２を読み取ることで、自動的に管理機関のサーバへ、ユーザ端末から、インターネットを介してポイント情報が送付される。サーバへ送付されたポイント情報は、ユーザ別に記録される。【選択図】図１
2013025587.tif 000002
【特許請求の範囲】
【請求項１】
特典情報を有する広告媒体を提供する広告媒体提供工程と、
提供された前記広告媒体から前記特典情報を取得する特典情報取得工程と、
取得した前記特典情報を管理機関へ送付する特典情報送付工程と、
送付された前記特典情報をユーザ別に前記管理機関で記録するユーザ別特典情報記録工程とを備える
広告促進方法。
【請求項２】
管理機関のサーバに記録された特典情報を有する広告媒体を、同サーバがユーザ端末からの要求に応じて、同ユーザ端末に通信回線を介して提供する広告媒体提供工程と、
前記ユーザ端末が、前記サーバに前記広告媒体の提供を要求して提供された前記広告媒体から前記特典情報を取得する特典情報取得工程と、
前記ユーザ端末が、取得した前記特典情報を前記サーバへ通信回線を介して送付する特典情報送付工程と、
前記サーバが、前記ユーザ端末から通信回線を介して受信した前記特典情報をユーザ別に記録するユーザ別特典情報記録工程とを備える
広告促進方法。
【請求項３】
前記広告媒体は、チラシであり、
前記特典情報は、前記チラシに印刷されたポイント情報である
請求項１または請求項２に記載の広告促進方法。
【請求項４】
前記広告媒体は、チラシであり、
前記特典情報は、二次元コードに含まれるポイント情報であり、
前記特典情報送付工程において、ユーザ端末が前記二次元コードから読み取ったポイントを同ユーザ端末が送付する
請求項１または請求項２に記載の広告促進方法。
【請求項５】
前記サーバに記録されたアンケート情報を、前記サーバが前記ユーザ端末からの要求に応じて、同ユーザ端末に通信回線を介して提供するアンケート情報提供工程と、
前記ユーザ端末が、前記サーバに前記アンケート情報の提供を要求して提供された前記アンケート情報に対する回答情報を前記サーバへ通信回線を介して送付する回答情報送付工程を備える
請求項２に記載の広告促進方法。
【請求項６】
特典情報を有する広告媒体を記録する広告媒体記録手段と、
ユーザ端末からの要求に応じて、前記広告媒体記録手段に記録された広告媒体を同ユーザ端末に通信回線を介して提供する広告媒体提供手段と、
前記ユーザ端末から通信回線を介して受信した前記特典情報をユーザ別に記録するユーザ別特典情報記録手段とを有するサーバと、
該サーバに前記広告媒体の提供を要求する広告媒体要求手段と、
提供された前記広告媒体から前記特典情報を取得する特典情報取得手段と、
取得した前記特典情報を前記サーバへ通信回線を介して送付する特典情報送付手段とを有するユーザ端末とを備える
広告促進システム。
【発明の詳細な説明】
【技術分野】
【０００１】
本発明は広告促進方法及び広告促進システムに関する。詳しくは、例えば、チラシ広告を促進する、広告促進方法及び広告促進システムに係るものである。
【背景技術】
【０００２】
一般的にチラシは、広告媒体として用いられる一枚刷りの印刷物である。また、チラシは、例えば、駅前などで配られたり、個々の住宅やマンションの郵便受けに投函されたり、新聞に挟み込まれたり、デジタルチラシとしてインターネットで配信されたりする。
【０００３】
しかし、チラシを受け取った消費者（ユーザ）は、そのままチラシを廃棄してしまうことが多く、チラシを喜んで受け取り、楽しんで見てもらえる工夫が必要であった。
【０００４】
例えば、特許文献１には、広告媒体として、図４に示すようなクリアーホルダーが記載されている。即ち、特許文献１に記載のクリアーホルダー１０１は、表面シート１０１Ａと裏面シート１０１Ｂの２枚のシートからなり、表面シート１０１Ａの中央に地図１０８が記載され、この地図１０８の周囲に１０個の広告表示部（１１１、１１５、１２１、１２５、１３１、１３５、１４１、１４５、１５１、１５５）が記載されている。
【０００５】
また、地図１０８は、上方に北の方角が記載され、広告対象物である飲食店の位置表示部（丸印）が記載され、位置表示部と、それに対応する広告表示部（１１１〜１５５）とが、それぞれ連結線で結ばれている。
【０００６】
クリアーホルダーであるから、捨てられることなく持ち帰って保存され、書類の持ち運びに利用されることが多くなり、広告の効果が高まる。
【先行技術文献】
【特許文献】
【０００７】
【特許文献１】実用新案登録第３１６６４６２号公報
【発明の概要】
【発明が解決しようとする課題】
【０００８】
しかしながら、特許文献１に記載のクリアーホルダーは、書類を挟むなどして利用することはできるが、表面に明らかに広告であることが判る地図などが記載されているので、デザイン性に欠けており、そもそもこのようなクリアーホルダーを利用しようという動機をユーザに与え難いことが懸念されていた。
【０００９】
本発明は、以上の点に鑑みて創案されたものであり、ユーザの広告に対する興味を増大させて、広告効果を高めることができる、広告促進方法及び広告促進システムを提供することを目的とする。
【課題を解決するための手段】
【００１０】
上記の目的を達成するために、本発明の広告促進方法は、特典情報を有する広告媒体を提供する広告媒体提供工程と、提供された前記広告媒体から前記特典情報を取得する特典情報取得工程と、取得した前記特典情報を管理機関へ送付する特典情報送付工程と、送付された前記特典情報をユーザ別に前記管理機関で記録するユーザ別特典情報記録工程とを備える。
【００１１】
また、上記の目的を達成するために、本発明の広告促進方法は、管理機関のサーバに記録された特典情報を有する広告媒体を、同サーバがユーザ端末からの要求に応じて、同ユーザ端末に通信回線を介して提供する広告媒体提供工程と、前記ユーザ端末が、前記サーバに前記広告媒体の提供を要求して提供された前記広告媒体から前記特典情報を取得する特典情報取得工程と、前記ユーザ端末が、取得した前記特典情報を前記サーバへ通信回線を介して送付する特典情報送付工程と、前記サーバが、前記ユーザ端末から通信回線を介して受信した前記特典情報をユーザ別に記録するユーザ別特典情報記録工程とを備える。
【００１２】
また、上記の目的を達成するために、本発明の広告促進システムは、特典情報を有する広告媒体を記録する広告媒体記録手段と、ユーザ端末からの要求に応じて、前記広告媒体記録手段に記録された広告媒体を同ユーザ端末に通信回線を介して提供する広告媒体提供手段と、前記ユーザ端末から通信回線を介して受信した前記特典情報をユーザ別に記録するユーザ別特典情報記録手段とを有するサーバと、該サーバに前記広告媒体の提供を要求する広告媒体要求手段と、提供された前記広告媒体から前記特典情報を取得する特典情報取得手段と、取得した前記特典情報を前記サーバへ通信回線を介して送付する特典情報送付手段とを有するユーザ端末とを備える。
【００１３】
ここで、広告媒体が特典情報を有するので、特典情報を目当てとするユーザに、広告媒体を見ようとする動機を与えることができる。
【００１４】
また、本発明の広告促進方法において、広告媒体は、チラシであり、特典情報は、チラシに印刷されたポイント情報であるものとすることができる。
また、本発明の広告促進方法において、広告媒体は、チラシであり、特典情報は、二次元コードに含まれるポイント情報であり、特典情報送付工程において、ユーザ端末が二次元コードから読み取ったポイントをユーザ端末が送付するものとすることができる。
【００１５】
また、本発明の広告促進方法は、サーバに記録されたアンケート情報を、サーバがユーザ端末からの要求に応じて、ユーザ端末に通信回線を介して提供するアンケート情報提供工程と、ユーザ端末が、サーバにアンケート情報の提供を要求して提供されたアンケート情報に対する回答情報をサーバへ通信回線を介して送付する回答情報送付工程を備えるものとすることができる。
【００１６】
この場合、回答情報を送付すれば景品が当たる可能性が生じるので、ポイントが貯まるまで待つ必要が無く、よって、ポイントを貯めるときよりも早く景品をもらえる可能性が高くなる。
【発明の効果】
【００１７】
本発明に係る広告促進方法は、ユーザの広告に対する興味を増大させて、広告効果を高めることができる。
本発明に係る広告促進システムは、ユーザの広告に対する興味を増大させて、広告効果を高めることができる。
【図面の簡単な説明】
【００１８】
【図１】本発明の広告促進方法及び広告促進システムで使用されるチラシの一例を示す概略図である。
【図２】図１に示すチラシの点線領域Ａの概略拡大図である。
【図３】本発明の広告促進システムの一構成例を示す概略図である。
【図４】従来の広告媒体を示す概略図である。
【発明を実施するための形態】
【００１９】
以下、本発明の実施の形態について図面を参照しながら説明し、本発明の理解に供する。
図１は、本発明の広告促進方法及び広告促進システムで使用されるチラシの一例を示す概略図である。また、図２は、図１に示すチラシの点線領域Ａの概略拡大図である。
【００２０】
図１に示すように、本発明の広告促進方法及び広告促進システムで使用されるチラシ（広告媒体の一例である。）１は、右上に、ポイント情報（特典情報の一例である。）を含む二次元コード２を有している。
ここで、本発明の広告促進方法で使用されるチラシ１は、印刷物のチラシ若しくは、いわゆる電子チラシであり、本発明の広告促進システムで使用されるチラシは、電子チラシである。
【００２１】
このようなチラシ１を提供する工程（広告媒体提供工程）として、例えば、新聞に挟んでユーザに提供したり、管理機関のサーバに電子チラシとして記録しておき、ユーザが利用する携帯電話機やコンピュータなどのユーザ端末からの要求に応じて、サーバがインターネット（通信回線の一例である。）を介してユーザ端末に電子チラシを提供したりすることが挙げられる。
【００２２】
そして、会員登録したユーザがユーザ端末を用いて二次元コード２を読み取ることで、自動的に管理機関のサーバへ、ユーザ端末から、インターネット（通信回線の一例である。）を介してポイント情報が送付される（特典情報取得工程及び特典情報送付工程）。
【００２３】
また、印刷物のチラシに、特典情報としてポイント情報が印刷されている場合には、特典情報取得工程として、例えばポイント部分を切り取り、特典情報送付工程として、例えばハガキ等に、切り取ったポイント部分を貼り付けて管理機関へ送付することが挙げられる。
【００２４】
また、サーバに記録された電子チラシに、特典情報としてポイント情報が表示されている場合には、特典情報取得工程として、例えばユーザ端末が電子チラシをサーバからダウンロードし、特典情報送付工程として、例えばダウンロードした電子チラシのポイント部分を画面上で切り取り、電子メール等に添付してサーバに送信するか、またはダウンロードした電子チラシを印刷して、ポイント部分を切り取り、ハガキ等に切り取ったポイント部分を貼り付けて送付することが挙げられる。
【００２５】
そして、サーバへ送付されたポイント情報、若しくは管理機関へ送付されたポイント情報は、ユーザ別に記録される（ユーザ別特典情報記録工程）。
【００２６】
また、サーバには、アンケート情報が記録されており、サーバは、ユーザ端末からの要求に応じて、ユーザ端末にインターネットを介してアンケート情報を提供する（アンケート情報提供工程）。
【００２７】
また、ユーザ端末は、サーバにアンケート情報の提供を要求して提供されたアンケート情報に対する回答情報をサーバへ、インターネットを介して送付する（回答情報送付工程）。
【００２８】
ここで、本発明の広告促進方法が、広告媒体提供工程と、特典情報取得工程と、特典情報送付工程と、ユーザ別特典情報記録工程とを備えるのであれば、必ずしもアンケート情報提供工程や回答情報送付工程を備えていなくてもよい。
【００２９】
しかし、本発明の広告促進方法が、アンケート情報提供工程や回答情報送付工程を備えていれば、回答情報を送付すれば景品が当たる可能性が生じるので、ポイントが貯まるまで待つ必要が無く、よって、ポイントを貯めるときよりも早く景品をもらえる可能性が高くなり、好ましい。
【００３０】
図３は、本発明の広告促進システムの一構成例を示す概略図である。
図３において、本発明の広告促進システム３は、管理機関のサーバ４と、会員登録したユーザが利用するユーザ端末（例えば、携帯電話機若しくはコンピュータ）５とを備える。
【００３１】
サーバ４は、電子チラシを記録するチラシデータベース（広告媒体記録手段の一例である。）６を有する。また、電子チラシは、ポイント情報を有する。
【００３２】
また、サーバ４は、ユーザ端末５からの要求に応じて、チラシデータベース６に記録された電子チラシをユーザ端末５にインターネット１８を介して提供するチラシ提供手段（広告媒体提供手段の一例である。）７を有する。
【００３３】
また、サーバ４は、ユーザ端末５からインターネット１８を介してポイント情報を受け付ける（受信する）ポイント情報受付手段８と、ポイント情報受付手段８が受け付けたポイント情報を、ユーザ別に記録するユーザ別ポイント情報データベース（ユーザ別特典情報記録手段の一例である。）９を有する。
【００３４】
また、サーバ４は、アンケート情報を記録するアンケート情報データベース１０を有する。
また、サーバ４は、アンケート情報データベース１０に記録されたアンケート情報を、ユーザ端末５からの要求に応じて、ユーザ端末５にインターネット１８を介して提供するアンケート情報提供手段１１を有する。
【００３５】
また、サーバ４は、アンケート情報に対する回答情報をユーザ端末５からインターネット１８を介して受け付ける（受信する）回答情報受付手段１２を有する。
また、回答情報は、アンケート情報データベース１０に記録される。
【００３６】
また、ユーザ端末５は、サーバ４に、電子チラシの提供を要求するチラシ要求手段（広告媒体要求手段の一例である。）１３を有する。
また、ユーザ端末５は、提供された電子チラシからポイント情報を取得するポイント情報取得手段（特典情報取得手段の一例である。）１４を有する。具体的には、例えば、ユーザ端末５の画面上において、ポイント情報をクリックすることで、ポイント情報を取得できる。
【００３７】
また、ユーザ端末５は、取得したポイント情報を、インターネット１８を介してサーバ４へ送付するポイント情報送付手段（特典情報送付手段の一例である。）１５を有する。具体的には例えば、電子メール等にポイント情報を添付してサーバへ送付する。
【００３８】
また、ユーザ端末５は、サーバ４に対して、アンケート情報の提供を要求するアンケート情報要求手段１６を有する。
また、ユーザ端末５は、提供されたアンケート情報に対する回答情報をサーバ４へ、インターネット１８を介して送付する回答情報送付手段１７を有する。
【００３９】
以上のように、本発明の広告促進方法及び広告促進システムは、ポイント情報などの特典情報を有する広告媒体を提供するので、特典情報を目当てとするユーザに、広告媒体を見ようとする動機を与えることができる。
【００４０】
従って、本発明の広告促進方法及び広告促進システムは、ユーザの広告に対する興味を増大させて、広告効果を高めることができる。
【００４１】
また、ユーザは、アンケート情報に対する回答情報を送ることもできるので、回答情報を送付すれば景品が当たる可能性が生じ、ポイントが貯まるまで待つ必要が無く、よって、ポイントを貯めるときよりも早く景品をもらえる可能性が高くなる。
【符号の説明】
【００４２】
１    チラシ
２    二次元コード
３    広告促進システム
４    サーバ
５    ユーザ端末
６    チラシデータベース
７    チラシ提供手段
８    ポイント情報受付手段
９    ユーザ別ポイント情報データベース
１０    アンケート情報データベース
１１    アンケート情報提供手段
１２    回答情報受付手段
１３    チラシ要求手段
１４    ポイント情報取得手段
１５    ポイント情報送付手段
１６    アンケート情報要求手段
１７    回答情報送付手段
１８    インターネット
【図１】
2013025587.tif 000003
【図２】
2013025587.tif 000004
【図３】
2013025587.tif 000005
【図４】
2013025587.tif 000006